(57)【要約】【課題】カメラ操作者の撮影スキルの向上を支援する。【解決手段】コントロール部６は、質問を表現している質問情報を表示部１０に表示させると共に、この質問に対する回答を示している回答情報を操作部７から取得し、この回答情報に基づいて、この撮影装置を操作する者の撮影スキルの判定を行う。そして、この判定結果に応じ、撮像装置で提供されている機能及び性能のうちの少なくともどちらか一方を変更する。【選択図】      図１
2008042349.tif 000002
【特許請求の範囲】
【請求項１】
被写体の撮影を行う撮影装置であって、
質問を表現している質問情報を提示する提示手段と、
上記質問情報で表現されている質問に対する回答を示している回答情報を取得する回答情報取得手段と、
上記回答情報に基づいて、上記撮影装置を操作する者の撮影スキルの判定を行う撮影スキル判定手段と、
を有することを特徴とする撮影装置。
【請求項２】
画像を表示する表示手段を更に有しており、
上記提示手段は、上記質問情報に対応付けられている画像を上記表示手段に表示させる、
ことを特徴とする請求項１に記載の撮影装置。
【請求項３】
上記質問情報と、該質問情報で表現されている質問に対する正答を示す正答情報とが対応付けられて格納されている格納手段を更に有し、
上記撮影スキル判定手段は、上記提示手段で提示されている質問情報に対応付けられて上記格納手段に格納されている正答情報と上記回答情報取得手段で取得された回答情報とを比較する比較手段を有しており、該比較手段による比較の結果に基づいて上記撮影スキルの判定を行う、
ことを特徴とする請求項１に記載の撮影装置。
【請求項４】
上記格納手段には、画像を表現している画像情報が上記正答情報に対応付けられて更に格納されており、
画像を表示する表示手段と、
上記比較手段が上記回答情報と比較した正答情報に対応付けられて上記格納手段に格納されている画像情報で表現されている画像を上記表示手段に表示させる表示制御手段と、
を更に有する、
ことを特徴とする請求項３に記載の撮影装置。
【請求項５】
上記撮影スキル判定手段による上記撮影スキルの判定結果に応じて上記撮像装置を制御して、該撮像装置で提供されている機能及び性能のうちの少なくともどちらか一方を変更する制御手段を更に有することを特徴とする請求項１に記載の撮影装置。
【請求項６】
上記制御手段は、上記撮影スキル判定手段による判定結果が前記撮影スキルの向上を示している場合には、該撮像装置で提供されている機能を追加することを特徴とする請求項５に記載の撮影装置。
【請求項７】
上記制御手段は、上記撮影スキル判定手段による判定結果が前記撮影スキルの向上を示している場合には、該撮像装置で提供されている性能を向上させることを特徴とする請求項５に記載の撮影装置。
【請求項８】
上記質問情報と、該質問情報で表現されている質問に対する正答を示す正答情報と、上記撮像装置で提供されている機能及び性能のうち上記制御手段による制御により変更される対象になるものを示している変更対象情報とが対応付けられて格納されている格納手段を更に有し、
上記撮影スキル判定手段は、上記提示手段で提示されている質問情報に対応付けられて上記格納手段に格納されている正答情報と上記回答情報取得手段で取得された回答情報とを比較する比較手段を有しており、該比較手段による比較の結果に基づいて上記撮影スキルの判定を行い、
上記制御手段は、上記比較手段による比較によって上記正答情報と上記回答情報とが一致していることが判明した場合には、上記撮像装置で提供されている機能及び性能のうち、該回答情報及び上記質問情報に対応付けられて上記格納手段に格納されている変更対象情報で示されているものを変更する、
ことを特徴とする請求項５に記載の撮影装置。
【請求項９】
上記質問情報は複数のグループに分類されており、
上記グループのうち選択されたものを特定する情報である選択情報を取得する選択情報取得手段を更に有し、
上記提示手段は、上記グループのうち上記選択情報取得手段で取得した選択情報で特定されるものに分類されている質問情報を提示する、
ことを特徴とする請求項１に記載の撮影装置。
【請求項１０】
上記撮影装置により行われた撮影の回数を計数する撮影回数計数手段を更に有し、
上記制御手段は、上記撮影回数計数手段により計数された撮影の回数に更に応じて上記撮像装置を制御して、該撮像装置で提供されている機能及び性能のうちの少なくともどちらか一方を変更する、
ことを特徴とする請求項５に記載の撮影装置。
【発明の詳細な説明】
【技術分野】
【０００１】
本発明は、カメラ等の撮影装置の技術に関し、特に、撮影装置の操作性を向上させる技術に関する。
【背景技術】
【０００２】
近年のデジタルカメラにおける撮影機能の多機能化は目覚しいものがある。しかし、各機能が撮影結果に与える効果やその機能の用法などが理解できていなければ、このようなカメラを十分に使いこなすことはできない。とりわけ撮影スキルの未熟な初心者には、このような多機能のカメラは取り扱いが難しい印象を与えてしまうことで、敬遠されることもある。
【０００３】
多機能なカメラの操作性を向上させる技術として、操作部材や操作方法等の説明を表している文字や画像などのガイダンス情報を表示部に表示させて、各種機能のための設定をカメラ操作者が容易に行えるようにする技術が知られている。このような技術の一つとして、例えば特許文献１には、複数の操作部材のうちのいずれかが操作されたときに、操作部材毎のガイダンス情報のうち、その操作がされた操作部材についてのものを選択して表示するという技術が開示されている。
【特許文献１】特開２００３−３３００５７号公報
【発明の開示】
【発明が解決しようとする課題】
【０００４】
上述したような技術では、カメラ操作者は、ある撮影場面において、ある機能を有効にするための操作方法を知ることはできる。しかしながら、このときに、その機能を有効とすることでどのような効果が得られるのかを知ることはできない。また、単に提供される説明に従ってカメラを操作するのみでは、カメラ操作者は楽しみを感じ難く、積極的に機能を理解して使用しようとする動機付けにもつながり難い。
【０００５】
本発明は上述した問題に鑑みてなされたものであり、その解決しようとする課題は、カメラ操作者の撮影スキルの向上を支援することである。
【課題を解決するための手段】
【０００６】
本発明の態様のひとつである撮影装置は、被写体の撮影を行う撮影装置であって、質問を表現している質問情報を提示する提示手段と、上記質問情報で表現されている質問に対する回答を示している回答情報を取得する回答情報取得手段と、上記回答情報に基づいて、上記撮影装置を操作する者の撮影スキルの判定を行う撮影スキル判定手段と、を有することを特徴とするものであり、この特徴によって前述した課題を解決する。
【０００７】
なお、上述した本発明に係る撮影装置において、画像を表示する表示手段を更に有しており、上記提示手段は、上記質問情報に対応付けられている画像を上記表示手段に表示させる、ように構成することができる。
【０００８】
また、前述した本発明に係る撮影装置において、上記質問情報と、該質問情報で表現されている質問に対する正答を示す正答情報とが対応付けられて格納されている格納手段を更に有し、上記撮影スキル判定手段は、上記提示手段で提示されている質問情報に対応付けられて上記格納手段に格納されている正答情報と上記回答情報取得手段で取得された回答情報とを比較する比較手段を有しており、該比較手段による比較の結果に基づいて上記撮影スキルの判定を行う、ように構成することができる。
【０００９】
なお、この構成において、上記格納手段には、画像を表現している画像情報が上記正答情報に対応付けられて更に格納されており、画像を表示する表示手段と、上記比較手段が上記回答情報と比較した正答情報に対応付けられて上記格納手段に格納されている画像情報で表現されている画像を上記表示手段に表示させる表示制御手段と、を更に有する、ように構成することができる。
【００１０】
また、前述した本発明に係る撮影装置において、上記撮影スキル判定手段による上記撮影スキルの判定結果に応じて上記撮像装置を制御して、該撮像装置で提供されている機能及び性能のうちの少なくともどちらか一方を変更する制御手段を更に有するように構成することができる。
【００１１】
なお、この構成において、上記制御手段は、上記撮影スキル判定手段による判定結果が前記撮影スキルの向上を示している場合には、該撮像装置で提供されている機能を追加するように構成することができる。
【００１２】
また、この構成において、上記制御手段は、上記撮影スキル判定手段による判定結果が前記撮影スキルの向上を示している場合には、該撮像装置で提供されている性能を向上させるように構成することができる。
【００１３】
また、この構成において、上記質問情報と、該質問情報で表現されている質問に対する正答を示す正答情報と、上記撮像装置で提供されている機能及び性能のうち上記制御手段による制御により変更される対象になるものを示している変更対象情報とが対応付けられて格納されている格納手段を更に有し、上記撮影スキル判定手段は、上記提示手段で提示されている質問情報に対応付けられて上記格納手段に格納されている正答情報と上記回答情報取得手段で取得された回答情報とを比較する比較手段を有しており、該比較手段による比較の結果に基づいて上記撮影スキルの判定を行い、上記制御手段は、上記比較手段による比較によって上記正答情報と上記回答情報とが一致していることが判明した場合には、上記撮像装置で提供されている機能及び性能のうち、該回答情報及び上記質問情報に対応付けられて上記格納手段に格納されている変更対象情報で示されているものを変更する、ように構成することができる。
【００１４】
また、前述した本発明に係る撮影装置において、上記質問情報は複数のグループに分類されており、上記グループのうち選択されたものを特定する情報である選択情報を取得する選択情報取得手段を更に有し、上記提示手段は、上記グループのうち上記選択情報取得手段で取得した選択情報で特定されるものに分類されている質問情報を提示する、ように構成することができる。
【００１５】
また、前述した本発明に係る撮影装置において、上記撮影装置により行われた撮影の回数を計数する撮影回数計数手段を更に有し、上記制御手段は、上記撮影回数計数手段により計数された撮影の回数に更に応じて上記撮像装置を制御して、該撮像装置で提供されている機能及び性能のうちの少なくともどちらか一方を変更する、ように構成することができる。
【発明の効果】
【００１６】
本発明によれば、以上のように構成することにより、カメラ操作者の撮影スキルの向上の支援が可能となるという効果を奏する。
【発明を実施するための最良の形態】
【００１７】
以下、本発明の実施の形態を図面に基づいて説明する。
まず図１について説明する。同図は、本発明を実施する撮影装置（デジタルカメラ）の構成を示している。
【００１８】
図１において、光学系１は、被写体を撮像素子２に結像させるためのレンズと、そのレンズを支持する鏡枠とを備えて構成されている。なお、この光学系１は、鏡枠を駆動するとレンズの位置が移動するように構成されており、この駆動動作により焦点距離を変化させることや被写体にピントを合わせることができる。
【００１９】
撮像素子２は、多数の光電変換素子で構成されており、受光面に結像した被写体像を電気信号に変換する。
撮像制御部３は、撮像素子２の動作制御を行うものであり、撮像素子２から出力されるアナログ信号である電気信号をデジタルデータに変換する処理も行う。
【００２０】
ＡＥ（Auto Exposure ：自動露出）信号処理部４は、撮像素子２の出力データより被写体像の輝度情報を得る。
鏡枠制御部５は、光学系１に含まれる鏡枠の駆動制御を行う。
【００２１】
コントロール部６は、ＭＰＵ（Micro Processing Unit ）を備えて構成されており、ＭＰＵが所定の制御プログラムを実行することによって、この撮影装置の各構成要素の動作を統括管理すると共に各構成要素間での各種のデータの授受を管理する。
【００２２】
操作部７は、撮影装置に設けられている各種の操作部材に対してカメラ操作者により行われる操作内容に応じた電気信号を生成してコントロール部６へ出力する。
内蔵メモリ８は、撮像制御部３から出力されたデジタルデータを格納する。また、画像処理部１１が処理を実行する際の作業用メモリとしても使用される。更に、内蔵メモリ８の一部である不揮発性のメモリには、コントロール部６のＭＰＵによって実行される制御プログラムが予め格納されており、後述する学習機能のためのデータファイルも格納されている。
【００２３】
外部メモリ９は、撮影された被写体像の画像データや、この撮影装置に備えられている編集機能によって編集された画像データなど各種の画像データを記録するためのメモリであり、この撮影装置に対して着脱自在に構成されている。
【００２４】
表示部１０は、スルー画像の表示、すなわち撮像素子２に結像している被写体像の画像の表示や、外部メモリに格納されている画像データで表現されている静止画像や動画像の表示を行うと共に、この撮影装置の動作に関する各種の情報（カメラ情報）の表示を行う。
【００２５】
画像処理部１１は、この撮影装置で撮影された被写体の原画像に対して各種の画像処理を施す。
図１の撮影装置は以上のように構成されている。
【００２６】
次に図２について説明する。同図は図１に示した撮影装置の概観を示す背面図である。
図２において、ＴＦＴ（Thin Film Transistor：薄膜トランジスタ）カラー液晶２０（以下、「ＴＦＴ２０」と記す）は、図１における表示部１０に含まれるものであり、各種の画像表示や情報表示を行う。
【００２７】
レリーズボタン２１は、撮影動作の実行指示等を行うために操作されるものである。
ズームボタン２２は、焦点距離の変更指示等を行うために操作されるものである。
モード設定ダイアル２３は回転式であり、静止画撮影モード、再生モード、手ぶれ軽減撮影モード、動画撮影モードなどといった、この撮影装置の動作形態（動作モード）を選択する指示等を行うために操作されるものであり、後述するＧＵＩＤＥモードの選択指示も可能である。
【００２８】
キースイッチ２４は、十字形状に形成されており、「十字キー」とも称されている。キースイッチ２４は、露出補正の設定、フラッシュの設定、セルフ撮影モードの設定、マクロ撮影モードの設定などといった各種の撮影条件の設定指示等を行うために操作されるものである。なお、以下の説明では、キースイッチ２４を「十字キー２４」と称することとする。
【００２９】
指標２５は、露出補正設定ポジションを示しており、この指標方向にある十字キー２４の三角マークを押下操作すると露出補正の設定が可能となる。また、指標２６は、フラッシュ設定ポジションを示しており、この指標方向にある十字キー２４の三角マークを押下操作すると、撮影装置の撮影動作モードがフラッシュ発光モードに変更される。指標２７は、セルフ撮影モードの設定ポジションを示しており、この指標方向にある十字キー２４の三角マークを押下操作すると、撮影装置の撮影動作モードがセルフ撮影モードに変更される。また、指標２８は、マクロ撮影モードの設定ポジションを示しており、この指標方向にある十字キー２４の三角マークを押圧すると撮影装置の撮影動作モードがマクロ撮影モードに変更される。
【００３０】
なお、十字キー２４は、この他に、後述するメニュー設定画面が表示されているときには、カーソルの移動指示や、メニュー階層の切り換え指示のためにも操作される。
キースイッチ２９は、「ＭＥＮＵボタン」とも称されており、メニュー設定画面のＴＦＴ２０への表示指示を行うために操作されるスイッチである。なお、以下の説明では、キースイッチ２９を「ＭＥＮＵボタン２９」と称することとする。
【００３１】
キースイッチ３０は、「ＯＫキー」とも称されており、十字キー２４の中央部に配置されている。キースイッチ３０は、各種のメニュー項目からの選択結果の確定指示や、この撮影装置の動作モードをファンクション設定モードに遷移させる指示を行うために操作されるものである。なお、以下の説明では、キースイッチ３０を「ＯＫキー３０」と称することとする。
【００３２】
なお、上述したレリーズボタン２１、ズームボタン２２、モード設定ダイアル２３、十字キー２４、ＭＥＮＵボタン２９、及びＯＫキー３０の各操作部材に対する操作は、いずれも図１に示した操作部７によって検出される。
【００３３】
次に、図１に示した撮影装置で提供される学習機能（撮影スキル判定・向上機能）について、説明する。
まず、カメラ操作者（以下、単に「操作者」と示す）が撮影装置に設けられているＭＥＮＵボタン２９を押下操作する。すると、図３に例示するような第一階層メニューがＴＦＴ２０に表示される。
【００３４】
この第一階層メニューが表示されているときに、操作者が十字キー２４を押下操作すると、ＴＦＴ２０に表示されている画面上での選択対象を示しているカーソル枠が移動する。なお、図３は、カーソル枠で「スタディー」の文字が囲まれている状態を示しており、これは、この撮影装置における学習機能を表している「スタディー」が選択されている様子を示している。この状態で操作者がＯＫキー３０を押下操作すると、図４に例示するような、学習機能に関する第二階層メニューがＴＦＴ２０に表示される。
【００３５】
図４に示す第二階層メニューでは、異なる４つの質問のうちのいずれかを選択することが指示されている。ここで操作者が十字キー２４を押下操作すると、ＴＦＴ２０の表示画面上でカーソル枠が移動する。なお、図４は、カーソル枠で質問１が選択されている様子を示している。この状態で操作者がＯＫキー３０を押下操作すると、図５に例示するような質問画面がＴＦＴ２０に表示される。
【００３６】
質問画面は、質問内容を文章で示す質問文と、この質問内容に関係する画像とで構成されている。なお、図５の例では、質問文「主要被写体が暗く写ってしまいました。どうしますか？」と、この質問文の内容に関係している、主要被写体が暗く写っている作例の画像とで質問画面が構成されている。
【００３７】
このような質問画面が表示されている状態で操作者がＯＫキー３０を押下操作すると、図６に例示するような、回答の選択肢が列挙されている回答選択メニューがＴＦＴ２０に表示される。操作者はここで十字キー２４を押下操作して表示画面上でカーソル枠を移動させ、回答選択メニューに列挙されている回答の選択肢から操作者が正答と考えるものを選択する。そして、この状態で操作者がＯＫキー３０を押下操作すると、選択された回答が正答であるか否かを示す画面がＴＦＴ２０に表示される。
【００３８】
図７について説明する。同図は正答通知画面の画面例を示している。正答通知画面は、回答選択肢画面に列挙されている回答の選択肢から操作者が選択したものが正答であった場合に、ＯＫキー３０の押下操作に応じてＴＦＴ２０に表示される画面である。この図７の画面例は、図５の質問画面に示されていた質問に対する正答が回答選択メニューから選択されたことを示す説明文「正解です。このケースは「スポット測光にする」が正解です」と、この説明文の内容に関係している、スポット測光を機能させたことにより主要被写体の暗さが解消されて写っている作例の画像とで正答通知画面が構成されている。
【００３９】
次に図８について説明する。同図は機能追加通知画面の画面例を示している。機能追加通知画面は、回答選択メニューから操作者が選択した回答が質問画面に示されていた質問に対する正答であった場合に、この撮影装置ではそれまでは提供されていなかった機能が新たに追加されて利用可能になったことを操作者に通知するための画面である。つまり、図１に示した撮影装置は、操作者が質問に対して正答を選択すると、この操作者は所定以上のレベルの撮影スキルを有しているので機能を増加しても撮影装置を使いこなすことができると判定し、利用可能な機能を増加させるのである。
【００４０】
この機能追加通知画面は、正答通知画面がＴＦＴ２０に表示されているときに操作者がＯＫキー３０を押下操作するとＴＦＴ２０に表示される。なお、図８の画面例では、極めて短い時間間隔で連写撮影を行い、得られた複数枚の画像をＴＦＴ２０に並べて表示する機能である「超高速マルチ連写機能」が利用可能になったことを通知している。
【００４１】
なお、撮影装置に追加される機能は、この他に、例えば、インターバル撮影機能（撮影間隔を設定することができる撮影機能）、ブラケット撮影機能（異なる露出補正値により同一の被写体を複数コマ撮影する撮影機能）などであってもよい。また、追加される機能は、撮影動作に関する機能に限定されるものではなく、撮影済みの画像の編集機能や補正機能であってもよい。このような機能としては、例えば、トリミング編集機能（再生画像の切り出し範囲を指定できる編集機能）や赤目補正機能（再生画像中のいわゆる赤目部分を検出して、赤目部分を補正する画像処理を施す編集機能）などがあるが、この他の機能であってもよい。
【００４２】
次に図９Ａ及び図９Ｂについて説明する。これらはいずれも誤答通知画面の画面例を示している。
誤答通知画面は、図６に例示したような回答選択メニューに列挙されている回答の選択肢から操作者が選択したものが誤答であった場合に、ＯＫキー３０の押下操作に応じてＴＦＴ２０に表示される画面である。
【００４３】
図９Ａの画面例は、図５の質問画面に示されていた質問に対して回答選択メニューから選択された回答「フラッシュを強制発光にする」が誤答であること、及びその理由を示す説明文「不正解です。「フラッシュを強制発光にする」は、主要被写体が遠く存在するので、フラッシュ光が届きません。」で誤答通知画面が構成されている。また、図９Ｂの画面例は、図５の質問画面に示されていた質問に対して回答選択メニューから選択された回答「露出補正をプラスにする」が誤答であること、及びその理由を示す説明文「不正解です。「露出補正をプラスにする」は、画面全体が暗い場合に使用するのが最適です。」で誤答通知画面が構成されている。
【００４４】
なお、この誤答通知画面が表示された場合には、撮影装置で利用可能な機能の追加や性能向上はなされない。つまり、図１に示した撮影装置は、操作者が質問に対して誤答を選択した場合には、この操作者は撮影スキルが未だ所定のレベルに達していないため、機能を増加する撮影装置を使いこなせると判定し、利用可能な機能の追加や性能の向上は行わないのである。
【００４５】
なお、以上までに示した各画面例は、露出補正の質問に関するものを示したが、この代わりに、例えば下記に示すような質問に関する画面を表示するように構成することもできる。
【００４６】
・ホワイトバランスがはずれた写真に対して、どうしたら良いか。
・ぶれた写真に対して、どうしたら良いか。
・赤目写真に対して、どうしたら良いか。
【００４７】
・動く被写体を止めて写るようにするには、どうしたら良いか。
・フラッシュの光が届いていない写真に対して、どうしたら良いか。
・明暗差のある被写体に対して、どうしたら良いか。
【００４８】
・黒いものをもっと黒く撮るためには、どうしたら良いか。
・白いものをもっと白く撮るためには、どうしたら良いか。
・青空をきれいに撮るためには、どうしたら良いか。
【００４９】
・背景をぼかして撮影するためには、どうしたら良いか。
・手前から遠くまでピントが合った写真を撮影するためには、どうしたら良いか。
・近距離の被写体を大きく撮影するために、どうしたら良いか。
【００５０】
次に図１０について説明する。同図は、図１におけるコントロール部６で行われる制御処理の処理内容をフローチャートで示したものである。この処理は、コントロール部６に備えられているＭＰＵが、内蔵メモリ８に予め格納されている制御プログラムを実行することによって実現される。
【００５１】
図１０の処理の実行は、操作者が不図示の電源スイッチに対して所定の操作を行う等して撮影装置の電源がオンとされることによって開始される。また、この図１０に示されている各処理の実行中にモード設定ダイアル２３に対する操作が検出された場合には、進行中の処理を中断し、図１０の処理を改めて最初から実行する。
【００５２】
まず、Ｓ１０１において、モード設定ダイアル２３が、ＧＵＩＤＥモードに設定されているか、その他のモードに設定されているかを判別する処理が行われる。ここで、モード設定ダイアル２３がＧＵＩＤＥモード以外のモード（例えば、静止画撮影モード、再生モード、シーンモード、動画撮影モードなど）に設定されていたときには、Ｓ１０２に処理を進め、そのモードに関する処理を実行する。なお、ＧＵＩＤＥモード以外のモードの処理については本発明と直接関係するものではないので説明は省略する。
【００５３】
一方、Ｓ１０１の判別処理において、モード設定ダイアル２３が、ＧＵＩＤＥモードに設定されていたときには、Ｓ１０３に処理を進め、図３に例示したような第一階層メニューをＴＦＴ２０に表示させる処理が行われる。なお、このときに、カーソル枠を併せてＴＦＴ２０に表示させる処理も行う。なお、図３に示した第一階層メニューを表示させる場合には、例えば「スタディー」を囲む位置をカーソル枠の初期状態の位置とする。
【００５４】
Ｓ１０４では、ＯＫキー３０の押下有無の判断処理や、十字キー２４の操作に応じたカーソル枠の移動処理などを行うサブルーチンであるＯＫキー判断処理が行われる。このサブルーチンの詳細は後述するが、ＯＫキー３０が押下されたとの判断が下されるとＳ１０５に処理が進む。
【００５５】
Ｓ１０５では、図４に例示したような第二階層メニューをＴＦＴ２０に表示させる処理が行われる。なお、このときに、カーソル枠を併せてＴＦＴ２０に表示させる処理も行う。図４に示した第二階層メニューを表示させる場合には、例えば質問１を囲む位置をカーソル枠の初期状態の位置とする。
【００５６】
Ｓ１０６では、Ｓ１０４と同様のＯＫキー判断処理が行われる。ここで、ＯＫキー３０が押下されたとの判断が下されるとＳ１０７に処理が進む。
Ｓ１０７では、ＴＦＴ２０に表示されている第二階層メニュー上に表示されているカーソル枠によって選択されている質問の番号（質問ナンバー）を取得する処理が行われ、続くＳ１０８において、取得された質問ナンバーに対応する質問画面をＴＦＴ２０に表示させる処理が行われる。図５に例示した質問画面は、図４に例示した第二階層メニューから質問１が選択されたときに表示されるものである。
【００５７】
Ｓ１０９では、ＯＫキー３０が押下されたか否かを判定する処理が行われ、ＯＫキー３０が押下されたと判定されるまで（判定結果がＹｅｓとなるまで）Ｓ１０９の処理が繰り返される。
【００５８】
Ｓ１１０では、図６に例示したような回答選択メニューをＴＦＴ２０に表示させる処理が行われる。なお、このときに、カーソル枠を併せてＴＦＴ２０に表示させる処理も行う。図６に示した回答選択メニューを表示させる場合には、例えば「スポット測光にする」の回答を囲む位置をカーソル枠の初期状態の位置とする。
【００５９】
Ｓ１１１では、Ｓ１０４と同様のＯＫキー判断処理が行われる。ここで、ＯＫキー３０が押下されたとの判断が下されるとＳ１１２に処理が進む。
Ｓ１１２では、ＴＦＴ２０に表示されている回答選択メニュー上のカーソル枠によって選択されている回答が正答であるか否かを判定する処理が行われる。ここで、正答が選択されていると判定されたとき（図６に示した回答選択メニューを表示させている場合には、カーソル枠が「スポット測光にする」の回答を囲む位置にあると判定されたとき）は、この操作者の撮影スキルは所定のレベルに達していると判定してＳ１１３に処理を進める。一方、誤答が選択されていると判定されたときには、この操作者の撮影スキルは所定のレベルにまでは達していないと判定してＳ１１７に処理を進める。つまり、このＳ１１２の判定処理により、質問に対する回答に基づいた操作者の撮影スキルの判定が行われる。
【００６０】
Ｓ１１３では、図７に例示したような正答通知画面をＴＦＴ２０に表示させる処理が行われる。
Ｓ１１４では、ＯＫキー３０が押下されたか否かを判定する処理が行われ、ＯＫキー３０が押下されたと判定されるまで（判定結果がＹｅｓとなるまで）Ｓ１１４の処理が繰り返される。
【００６１】
Ｓ１１５では、図８に例示したような機能追加通知画面をＴＦＴ２０に表示させる処理が行われる。
Ｓ１１６では、ＴＦＴ２０に表示させている機能追加通知画面により追加の通知が行われている機能を撮影装置に追加する処理が行われ、その後はＳ１１８に処理を進める。図８に示した機能追加通知画面は「超高速マルチ連写機能」が利用可能になったことを通知するものであるので、Ｓ１１５の処理によって図８の画面をＴＦＴ２０に表示させた場合には、Ｓ１１６では、超高速マルチ連写機能を撮影装置の撮影モードに追加する処理が行われる。
【００６２】
一方、Ｓ１１２の判定処理によって誤答が選択されていると判定されたときには、Ｓ１１７において、図９Ａや図９Ｂに例示したような誤答通知画面をＴＦＴ２０に表示させる処理が行われる。
【００６３】
Ｓ１１８では、ＯＫキー３０が押下されたか否かを判定する処理が行われ、ＯＫキー３０が押下されたと判定されるまで（判定結果がＹｅｓとなるまで）Ｓ１１８の処理が繰り返される。ここで、ＯＫキー３０が押下されたと判定されたとき（判定結果がＹｅｓとなったとき）には、Ｓ１０３へと処理を戻して上述した処理が繰り返される。
【００６４】
以上の図１０の制御処理をコントロール部６が行うことにより、図１の撮影装置において質問画面のＴＦＴ２０への表示による操作者への質問の提示と、回答選択メニューでの選択結果の取得による質問に対する操作者からの回答の取得とが行われ、更にこの回答に基づいた操作者の撮影スキルの判定が行われて、判定結果に基づく利用可能な機能の追加が行われる。
【００６５】
次に図１１について説明する。同図は、図１０のＳ１０４、Ｓ１０６、及びＳ１１１の処理として実行されるサブルーチンである、ＯＫキー判断処理の処理内容を示したフローチャートである。
【００６６】
なお、コントロール部６のＭＰＵは、このサブルーチンの実行の開始と同時に、自身が備えているタイマを起動させて実行開始からの経過時間の計時を行う。
図１１において、まず、Ｓ１５１では、ＯＫキー３０が押下されたか否かを判定する処理が行われる。ここで、ＯＫキー３０が押下されたと判定したとき（判定結果がＹｅｓのとき）には、このＯＫキー判断処理を終了して元の処理へ戻る。一方、ＯＫキー３０が押下されていないと判定したとき（判定結果がＮｏのとき）には、Ｓ１５２に処理を進める。
【００６７】
Ｓ１５２では、十字キー２４が押下されたか否かを判定する処理が行われる。ここで、十字キー２４が押下されたと判定したとき（判定結果がＹｅｓのとき）には、Ｓ１５３に処理を進め、十字キー２４における押下部分によって示されている方向に応じ、各種メニュー画面と共にＴＦＴ２０に表示されているカーソル枠を上下方向に移動させる処理が行われる。一方、十字キー２４が押下されていないと判定したとき（判定結果がＮｏのとき）には、Ｓ１５３の処理を行うことなくＳ１５４に処理を進める。
【００６８】
Ｓ１５４では、ＭＥＮＵボタン２９が押下されたか否かを判定する処理が行われる。ここで、ＭＥＮＵボタン２９が押下されたと判定したとき（判定結果がＹｅｓのとき）には、このＯＫキー判断処理を終了し、図１０のＳ１０３の処理、すなわち、第一階層メニューをＴＦＴ２０に表示させる処理へと処理を進める。一方、ＭＥＮＵボタン２９が押下されていないと判定したとき（判定結果がＮｏのとき）には、Ｓ１５５に処理を進める。
【００６９】
Ｓ１５５では、前述したタイマが所定時間の経過を計時したか否かを判定する処理が行われる。ここで、所定時間の経過を計時したと判定したとき（判定結果がＹｅｓのとき）は、各種のキースイッチが所定時間内にいずれも操作されていないと判定し、撮影装置の動作モードをスリープモード（ＴＦＴ２０の表示や照明を消す等して撮影装置での電力の消費を低減させる動作形態）へと移行させる。一方、所定時間の経過を未だ計時していないと判定したとき（判定結果がＮｏのとき）は、Ｓ１５１へと処理を戻して上述した処理が繰り返される。
【００７０】
以上までの処理がＯＫキー判断処理である。
次に図１２について説明する。同図は、内蔵メモリ８に格納されている学習機能のためのデータファイルの構造を示している。
【００７１】
図１２に示されているように、このデータファイルでは、質問ナンバー情報、質問情報、質問作例画像情報、回答選択肢情報、正誤情報、解説情報、正答作例情報、追加機能情報、及び説明画像情報の各情報が相互に対応付けられている。以下、これらの情報を説明する。
【００７２】
質問ナンバー情報は、第二階層メニューに表示される質問ナンバーの情報である。コントロール部６は、図１０のＳ１０５の処理を実行すると、このデータファイルに示されている質問ナンバー情報を取得し、得られた質問ナンバー情報を並べた第二階層メニューを作成してＴＦＴ２０に表示させる。
【００７３】
質問情報は、質問画面に表示される質問内容を表現しているテキスト情報である。また、質問作例画像情報は、質問情報と共に質問画面に表示される画像についての画像データファイルを特定する情報である。なお、この画像データファイルも、内蔵メモリ８に予め格納されている。コントロール部６は、図１０のＳ１０８の処理を実行すると、まず、Ｓ１０７の処理で得た質問ナンバー情報に対応付けられている質問情報及び質問作例画像情報をこのデータファイルから取得する。そして、得られた質問作例画像情報で特定される画像データファイルを内蔵メモリ８から読み出し、この画像データファイルで表現されている画像と得られた質問情報とを並べて質問画面を作成してＴＦＴ２０に表示させる。こうして、質問情報と、この質問情報に対応付けられている画像との操作者への提示が行われる。
【００７４】
回答選択肢情報は、回答選択メニューに表示される回答の選択肢を表現しているテキスト情報である。コントロール部６は、図１０のＳ１１０の処理を実行すると、まず、Ｓ１０８の処理でＴＦＴ２０に表示させた質問画面に含まれている質問情報に複数対応付けられている回答選択肢情報をこのデータファイルから取得する。そして、得られた回答選択肢情報を並べた回答選択メニューを作成してＴＦＴ２０に表示させる。
【００７５】
正誤情報は、対応付けられている回答選択肢情報が正答であるか誤答であるかを示す情報である。正誤情報には、対応付けられている回答選択肢情報が正答であることを示す正答情報（図１２における○印）と、対応付けられている回答選択肢情報が誤答であることを示す誤答情報（図１２における×印）とがある。コントロール部６は、図１０のＳ１１２の判定処理を実行すると、まず、ＴＦＴ２０に表示されている回答選択メニュー上のカーソル枠によって示されている、回答選択肢情報の選択結果を示す情報を回答情報として取得する。そして、この回答情報が示している回答選択肢情報の選択結果と、このデータファイルにおいて、質問情報及び正答情報の両方に対応付けられている回答選択肢情報とが一致するか否かを比較する。ここで、この両者が一致するとの比較結果が得られた場合には、正答が選択されているとの判定を下し、操作者の撮影スキルは所定のレベルに達していると判定してＳ１１３に処理を進める。一方、この両者が一致しないとの比較結果が得られた場合には、誤答が選択されているとの判定を下し、操作者の撮影スキルは未だ所定のレベルに達していないと判定してＳ１１７に処理を進める。
【００７６】
解説情報は、正答通知画面若しくは誤答通知画面に表示される質問内容を表現しているテキスト情報である。また、正答作例画像情報は、解説情報と共に正答通知画面に表示される画像についての画像データファイルを特定する情報である。なお、この画像データファイルも、内蔵メモリ８に予め格納されている。
【００７７】
コントロール部６は、図１０のＳ１１４の処理を実行すると、まず、このデータファイルにおいて、前述した質問情報及び正答情報の両方に対応付けられている解説情報及び正答作例画像情報を取得する。そして、得られた正答作例画像情報で特定される画像データファイルを内蔵メモリ８から読み出し、この画像データファイルで表現されている画像と得られた解説情報とを並べて正答通知画面を作成してＴＦＴ２０に表示させる。
【００７８】
また、コントロール部６は、図１０のＳ１１７の処理を実行すると、まず、このデータファイルにおいて、前述した質問情報と、前述した回答情報により選択される回答選択肢情報との両方に対応付けられている解説情報を取得する。そして、得られた解説情報を用いて誤答通知画面を作成してＴＦＴ２０に表示させる。
【００７９】
追加機能情報は、操作者が質問に対して正答を選択したときに追加する機能を特定するテキスト情報である。また、追加機能説明画像情報は、追加機能情報と共に機能追加通知画面に表示される画像についての画像データファイルを特定する情報である。この画像は、追加機能情報で示されている機能の概要を表している。なお、この画像データファイルも、内蔵メモリ８に予め格納されている。
【００８０】
コントロール部６は、図１０のＳ１１５の処理を実行すると、まず、このデータファイルにおいて、前述した質問情報及び正答情報の両方に対応付けられている追加機能情報及び機能追加通知画面を取得する。そして、得られた機能追加通知画面で特定される画像データファイルを内蔵メモリ８から読み出し、この画像データファイルで表現されている画像と得られた追加機能情報とを並べて機能追加通知画面を作成してＴＦＴ２０に表示させる。また、コントロール部６は、図１０のＳ１１６の処理を実行すると、この追加機能情報で示されている機能を撮影装置に追加する。
【００８１】
このように、コントロール部６は、操作者の撮影スキルの判定結果に応じて撮像装置を制御して、この撮像装置で提供されている機能を追加する変更を行う。
以上のように、図１に示した撮像装置は、機能や操作の有効性の説明を、Ｑ＆Ａ形式によるガイダンスで操作者に提供するので、操作者はその説明を容易に理解することができる。また、操作者が質問に対して正しい回答を行うことにより、撮影装置の機能が増加するので、操作者は楽しみながら撮影スキルを向上させることができる。また、操作者の撮影スキルに応じて撮影装置の機能の増加がなされるので、撮影スキルの低い初心者が撮影装置の購入時に、多機能ゆえの難しい印象を与えてしまうことが防止される。
【００８２】
なお、操作者が質問に対して正答を選択したときに、コントロール部６が、図１の撮影装置で利用可能な機能を追加する変更を行う代わりに、この撮影装置の性能を向上させる変更を行うように構成することもできる。この場合における向上させる性能の例としては、例えば、露出補正の操作可能範囲の拡大（例えば±１Ｅｖ補正範囲を±２Ｅｖに拡大する）、測光方法の追加（例えば、マルチ評価測光を追加する）、ＩＳＯ感度の設定範囲の拡大（例えば、ＩＳＯ１００〜８００の設定範囲をＩＳＯ１００〜３２００に拡大する）などを挙げることができる。なお、この場合には、図１２に示したデータファイルにおいて、向上させる機能を特定する情報を、追加機能情報として格納しておくようにすればよい。また、例えば、露出補正に関する質問に対して操作者が正答を選択したときには、露出補正の操作可能範囲を拡大させるというように、向上させる性能を、質問と関係するものとするようにしてもよい。
【００８３】
また、図１０におけるＳ１１３の処理において、図７に例示した正答通知画面のみをＴＦＴ２０に表示させる代わりに、図１３Ａに例示するように、正答通知画面を図５に示した質問画面と共にＴＦＴ２０に表示させるようにしてもよい。更に、図１０におけるＳ１１７の処理において、図９Ａ及び図９Ｂに例示した誤答通知画面のみをＴＦＴ２０に表示させる代わりに、図１３Ｂに例示するように、誤答通知画面を図５に示した質問画面と共にＴＦＴ２０に表示させるようにしてもよい。
【００８４】
また、誤答通知画面においても誤答の条件で撮影画面例を表示するようにしてもよい。この場合には、図１２にある正答作例画面情報に加えて、誤答作例画像情報を画像データフィルとして内蔵メモリ８に記憶して置くようにする。
【００８５】
また、図１の撮影装置において、操作者が申告する自己の撮影スキルの程度に応じて難易度の異なる問題を提示するようにしてもよい。
図１４は、学習ステップ階層メニューの画面例を示している。操作者は、十字キー２４を押下操作すると、ＴＦＴ２０に表示されている画面上での選択対象を示しているカーソル枠が移動する。なお、図１４は、カーソル枠で「ＳＴＥＰ１：入門編」の文字が囲まれている状態を示しており、これは、自己の撮影スキルが入門レベルであることを撮影装置に自己申告する状態を示している。
【００８６】
この図１４に示した状態で操作者がＯＫキー３０を押下操作すると、図４に例示したものと同様の、学習機能に関する第二階層メニューがＴＦＴ２０に表示される。
ここで図１５について説明する。同図は、学習ステップ階層メニュー処理の処理内容をフローチャートで示したものである。なお、この処理は、コントロール部６が、図１０に示した制御処理におけるＳ１０４の処理とＳ１０５の処理との間で実行する。
【００８７】
図４のＳ１０４の処理に続いて実行されるＳ２０１では、図１３に例示したような学習ステップ階層メニューをＴＦＴ２０に表示させる処理が行われる。なお、このときに、カーソル枠を併せてＴＦＴ２０に表示させる処理も行う。なお、図１３に示した学習ステップ階層メニューを表示させる場合には、例えば「ＳＴＥＰ１：入門編」を囲む位置をカーソル枠の初期状態の位置とする。
【００８８】
Ｓ２０２では、図１１に示したＯＫキー判断処理が行われる。ここで、ＯＫキー３０が押下されたとの判断が下されると図１０のＳ１０５に処理が進む。その後は図１０に示した制御処理が行われる。
【００８９】
なお、このとき、図１２に示したデータファイルでは、質問情報を、撮影スキルに応じた異なるグループに予め分類しておくようにする。
例えば、図１４に示した学習ステップ階層メニューにおける「ＳＴＥＰ１：入門編」の撮影スキルに対応するグループとして、失敗写真を撮らないためにはどうしたらよいかをガイダンスするために、例えば下記に示すような質問を纏めておく。
【００９０】
・逆光時、どうすれば良いか。
・露出不足の写真に対して、どうすれば良いか。
・ホワイトバランスがはずれた写真に対して、どうしたら良いか。
【００９１】
・ぶれた写真に対して、どうしたら良いか。
・赤目写真に対して、どうしたら良いか。
・動く被写体を止めて写るようにするには、どうしたら良いか。
【００９２】
・フラッシュの光が届いていない写真に対して、どうしたら良いか。
また、図１４に示した学習ステップ階層メニューにおける「ＳＴＥＰ２：中級編」の撮影スキルに対応するグループとして、写真の質が向上するテクニックをガイダンスするために、例えば下記に示すような質問を纏めておく。
【００９３】
・構図の悪い写真に対して、どうしたら良いか。
・背景をぼかして撮影するためには、どうしたら良いか。
・手前から遠くまでピントが合った写真を撮影するためには、どうしたら良いか。
【００９４】
・近距離の被写体を大きく撮影するために、どうしたら良いか。
更に、図１４に示した学習ステップ階層メニューにおける「ＳＴＥＰ３：上級編」の撮影スキルに対応するグループとして、より高度なテクニックをガイダンスするために、例えば下記に示すような質問を纏めておく。
【００９５】
・青空をきれいに撮るためには、どうしたら良いか。
・明暗差のある被写体に対して、どうしたら良いか。
・黒いものをもっと黒く撮るためには、どうしたら良いか。
【００９６】
・白いものをもっと白く撮るためには、どうしたら良いか。
図１２に示したデータファイルでは、このように、質問情報を撮影スキルに応じた異なるグループに予め分類しておく。そして、図１５に示した処理に続けて図１０の処理を行う場合には、Ｓ１０８の処理でＴＦＴ２０に表示される質問画面には、学習ステップ階層メニューからカーソル枠によって選択された撮影スキルに対応するグループに分類されている質問を表示するようにする。このようにすることで、操作者の現在の撮影スキルに応じたスキル向上の支援を行うことができる。
【００９７】
次に図１６について説明する。同図は、図１におけるコントロール部６で行われる撮影制御処理の処理内容をフローチャートで示したものである。この処理も、コントロール部６に備えられているＭＰＵが、内蔵メモリ８に予め格納されている制御プログラムを実行することによって実現される。
【００９８】
この処理は、図１の撮影装置に被写体の撮影を行わせると共に、この撮影装置により行われた撮影の回数を計数する。そして、この計数値が所定数に達した場合には、ある程度の撮影経験を積んだことにより操作者の撮影スキルが向上したものと判断し、撮像装置で提供されている機能を追加する変更や撮像装置で提供されている性能を向上させる変更を行うというものである。なお、この処理は、撮影装置の動作形態が撮影モードに設定されているときにレリーズボタン２１に対するファーストレリーズ（いわゆる半押し）が検出されると開始される。
【００９９】
図１６において、まず、Ｓ３０１では測光処理が行われる。すなわち、撮像素子２の受光面で受光した光を変換して得られた電気信号を、撮像制御部３を通して映像信号として内蔵メモリ８に格納すると共にＡＥ信号処理部４へ入力する。そして、ＡＥ信号処理部４にＡＥ信号(映像画面を分割したブロック毎の輝度情報)の生成を行わせて内蔵メモリ８に格納する。
【０１００】
Ｓ３０２ではＡＦ（Auto Focus：自動合焦）処理が行われる。すなわち、例えばＡＦの手法の周知技術であるコントラスト方式を用い、鏡枠制御部５に指示を与えて光学系１に含まれる不図示のフォーカスレンズの駆動制御を行わせて被写体にピントが合う位置に移動させる。
【０１０１】
Ｓ３０３では、レリーズボタン２１に対するセカンドレリーズ（いわゆる全押し）が検出されたか否かを判定する処理が行われ、セカンドレリーズが検出されるまで（判定結果がＹｅｓとなるまで）、この判定処理が繰り返される。
【０１０２】
Ｓ３０４では露出演算処理、すなわち、予めなされている露出の設定と内蔵メモリ８に格納したＡＥ信号とに基づいて露出時におけるシャッタースピード値と絞り値とを算出する処理が行われる。そして、続くＳ３０５では露出処理が行われる。すなわち、得られたシャッタースピード値と絞り値とに基づいて撮像制御部３を制御して適正な露出となるように光学系１を駆動制御させる。
【０１０３】
Ｓ３０６では記録処理が行われる。すなわち、このときに撮像素子２の受光面で受光した光を変換して得られた電気信号を、撮像制御部３を通して映像信号として内蔵メモリ８に一旦格納し、画像処理部１１に指示を与えてこの映像信号を処理させて所望のフォーマット（例えばＪＰＥＧ形式やＴＩＦＦ形式など）の画像データに変換させ、得られた画像データを外部メモリ９に記録させる処理が行われる。
【０１０４】
Ｓ３０７では、図１の撮影装置での撮影枚数を計数するカウンタのカウント値を内蔵メモリ８から読み出して１だけ更新し、更新後のカウント値を改めて内蔵メモリ８に格納する処理が行われる。
【０１０５】
Ｓ３０８では、上述した撮影枚数を計数するカウンタのカウント値が予め設定されている所定値に達したか否かを判定する処理が行われる。ここで、カウント値が所定値に達したと判定したとき（判定結果がＹｅｓのとき）にはＳ３０９に処理を進める。一方、このカウント値が未だ所定値に達していないと判定したときには、この図１６の処理を終了し、撮影装置を撮影モードにおける待機状態に移行させる。
【０１０６】
Ｓ３０９では、図８に例示したような機能追加通知画面をＴＦＴ２０に表示させる処理が行われる。続くＳ３１０では、ＴＦＴ２０に表示させた機能追加通知画面により追加の通知が行われている機能を撮影装置に追加する処理が行わる。
【０１０７】
Ｓ３１１では、ＯＫキー３０が押下されたか否かを判定する処理が行われ、ＯＫキー３０が押下されたと判定されるまで（判定結果がＹｅｓとなるまで）Ｓ３１１の処理が繰り返される。ここで、ＯＫキー３０が押下されたと判定されたとき（判定結果がＹｅｓとなったとき）には、この図１６の処理を終了し、撮影装置を撮影モードにおける待機状態に移行させる。
【０１０８】
以上の処理がコントロール部６で行われることにより、図１の撮影装置により行われた撮影の回数が所定数に達した場合に、撮像装置で提供されている機能が追加されるようになるので、操作者は楽しみながら撮影スキルを向上させることができる。また、写真撮影の経験を積み重ねたことで操作者の撮影スキルが向上すると撮影装置の機能の増加がなされるので、撮影スキルの低い初心者が撮影装置の購入時に、多機能ゆえの難しい印象を与えてしまうことが防止される。
【０１０９】
以上、本発明の実施形態についてそれぞれ説明したが、本発明は前述した実施形態に限定されるものではなく、本発明の要旨を逸脱しない範囲内で種々の改良・変更が可能である。
【０１１０】
例えば、上述した実施形態においては、操作者による質問に対する回答が正答であった場合に、図１の撮影装置に機能を追加させる変更や性能を向上させる変更を施す制御をコントロール部６が行うようにしていたが、操作者による質問に対する回答が誤答であった場合には、図１の撮影装置に機能を削減させる変更や性能を低下させる変更を施す制御をコントロール部６が行うようにしてもよい。
【図面の簡単な説明】
【０１１１】
【図１】本発明を実施する撮影装置の構成を示す図である。
【図２】図１に示した撮影装置の概観を示す背面図である。
【図３】第一階層メニューの画面例を示す図である。
【図４】第二階層メニューの画面例を示す図である。
【図５】質問画面の画面例を示す図である。
【図６】回答選択メニューの画面例を示す図である。
【図７】正答通知画面の画面例を示す図である。
【図８】機能追加通知画面の画面例を示す図である。
【図９Ａ】誤答通知画面の画面例（その１）を示す図である。
【図９Ｂ】誤答通知画面の画面例（その２）を示す図である。
【図１０】制御処理の処理内容をフローチャートで示した図である。
【図１１】ＯＫキー判断処理の処理内容を示したフローチャートである。
【図１２】学習機能のためのデータファイルの構造を示す図である。
【図１３Ａ】質問画面と正答通知画面とを組み合わせた画面の例を示す図である。
【図１３Ｂ】質問画面と誤答通知画面とを組み合わせた画面の例を示す図である。
【図１４】学習ステップ階層メニューの画面例を示す図である。
【図１５】学習ステップ階層メニュー処理の処理内容をフローチャートで示した図である。
【図１６】撮影制御処理の処理内容をフローチャートで示した図である。
【符号の説明】
【０１１２】
１  光学系
２  撮像素子
３  撮像制御部
４  ＡＥ信号処理部
５  鏡枠制御部
６  コントロール部
７  操作部
８  内蔵メモリ
９  外部メモリ
１１  画像処理部
２０  ＴＦＴカラー液晶
２１  レリーズボタン
２３  モード設定ダイアル
２４  キースイッチ（十字キー）
２５、２６、２７、２８  指標
２９  キースイッチ（ＭＥＮＵボタン）
３０  キースイッチ（ＯＫキー）
【図１】
2008042349.tif 000003
【図３】
2008042349.tif 000004
【図４】
2008042349.tif 000005
【図６】
2008042349.tif 000006
【図７】
2008042349.tif 000007
【図８】
2008042349.tif 000008
【図９Ａ】
2008042349.tif 000009
【図９Ｂ】
2008042349.tif 000010
【図１０】
2008042349.tif 000011
【図１１】
2008042349.tif 000012
【図１２】
2008042349.tif 000013
【図１４】
2008042349.tif 000014
【図１５】
2008042349.tif 000015
【図１６】
2008042349.tif 000016
【図２】
2008042349.tif 000017
【図５】
2008042349.tif 000018
【図１３Ａ】
2008042349.tif 000019
【図１３Ｂ】
2008042349.tif 000020